(57)【要約】      （修正有）【課題】缶飲料容器に直接口を当てることによる金属に触れる違和感と飲む時の容器の傾け具合による脇からの漏れを防止し、容器の開け口を引き開ける時に要する力を軽減する缶飲料の飲み口補助具を提供する。【解決手段】缶の飲み口がある端面に装着して使う円筒状の飲み口補助具１で、缶蓋との接続のために缶蓋外形に合わせて密着する溝状や段差を設け、非嵌合部側の円筒側壁端部が曲面を有する形状で、円筒側壁部片側の高さと対面側壁部の高さを傾斜させた弾力性のある素材で作られ、円筒側壁部の一部に缶蓋飲み口の取っ手を引っ掛けて起こすための形状を設け、抗菌、防カビ処理を施している。【選択図】図１
0003193673.tif 000002
【実用新案登録請求の範囲】
【請求項１】
缶の飲み口がある端面に装着して使う円筒状の飲み口補助具で、缶蓋との接続のために缶蓋外形に合わせて密着する溝状や段差を設け、非嵌合部側の円筒側壁端部が曲面を有する形状で、円筒側壁部片側の高さと対面側壁部の高さを傾斜させた弾力性のある素材で作られ、円筒側壁部の一部に缶蓋飲み口の取っ手を引っ掛けて起こすための形状を設け、抗菌、防カビ処理を施したことを特徴とする缶飲料の飲み口補助具。
【請求項２】
前記、円筒側壁部の一部を軸方向に沿って切れ目を入れたことを特徴とする請求項１に記載の缶飲料の飲み口補助具。
【請求項３】
前記、円筒側壁部外面に色付け、文字、絵などの装飾を施す、あるいは装飾したラベルを貼ることを特徴とする請求項１ないし請求項２に記載の缶飲料の飲み口補助具。
【考案の詳細な説明】
【技術分野】
【０００１】
本考案品は缶飲料を飲む時に、コップやグラスが不要になる着脱可能な缶飲料の飲み口補助具である。
【背景技術】
【０００２】
従来は、缶飲料容器の天面の飲物注ぎ口の取っ手を引っ張り持ち上げて開け、コップかグラスにあけて飲むか、その飲み口に直接口を当てて飲むのが一般的である。
【０００３】
しかしながら、缶飲料を飲む時直接口を当てることは、缶の金属に触れるので感触が悪く、傾け方により口から溢れて漏れるのですこし口を離して飲むか、飲み方に工夫が必要となる。
【０００４】
また、缶飲料の飲み口に直接口を当てることによる怪我への危険性も拭えない。
【０００５】
缶飲料容器の天面注ぎ口の取っ手を開ける時、女性や指先の力が弱い者にとって引っ張り持ち上げて開けるのに、指先を傷めたり、力を要する。
【０００６】
また、同種類の複数缶飲料容器を複数人で飲む場合、自分の飲んでいた缶飲料容器か他人が飲んでいた缶飲料容器なのかわかりづらい。                                    
【先行技術文献】
【特許文献】
【０００７】
【特許文献１】特開2002−128074号公報
【特許文献２】特開2004−315080号公報
【特許文献３】特開2009−298473号公報
【特許文献４】特開2013−001456号公報
【考案の概要】
【考案が解決しようとする課題】
【０００８】
本考案品が解決しようとする問題は、缶飲料容器に直接口を当てることによる金属に触れる違和感と怪我への危険性を回避し、また缶飲料を飲む時に容器の傾け具合により脇から漏れるのを防止することである。
【０００９】
さらに、容器の開け口を引き開けるときの力を軽減し、缶飲料の飲み口補助具の取り付けにより缶飲料容器の個別判別を可能にすることである。
【課題を解決するための手段】
【００１０】
缶の飲み口がある端面に装着して使う円筒状の飲み口補助具で、缶蓋との接続のために缶蓋外形に合わせて密着する溝状や段差を設け、非嵌合部側の円筒側壁端部が曲面を有する形状で、円筒側壁部片側の高さと対面側壁部の高さを傾斜させた弾力性のある素材で作られ、円筒側壁部の一部に缶蓋飲み口の取っ手を引っ掛けて起こすための形状を設け、抗菌、防カビ処理を施したことを特徴とする缶飲料の飲み口補助具。
【００１１】
前記、円筒側壁部の一部を軸方向に沿って切れ目を入れたことを特徴とする請求項１に記載の缶飲料の飲み口補助具。
【００１２】
前記、円筒側壁部外面に色付け、文字、絵などの装飾を施す、あるいは装飾したラベルを貼ることを特徴とする請求項１ないし請求項２に記載の缶飲料の飲み口補助具。
【考案の効果】
【００１３】
金属製缶容器に直接口が当たらないので、安全で、コップやグラスで飲む感覚を得られる。
【００１４】
本考案品の円筒両端に設けた溝あるいは段差や円筒壁にスリットを入れることで異なる径の容器に対応でき、傾けた時の液体漏れを防ぎ、飲みかけで置いた時も滴が垂れない。
【００１５】
本考案品の円筒側壁外側に文字や絵、色分けなどで装飾を施して個々の飲物が識別可能になる。
【００１６】
円筒上部周方向の一部に突出部を設けることで飲料缶蓋取っ手を引っ掛けて起こすことが出来、指などへの負担を軽減することが出来る。                                  
【図面の簡単な説明】
【００１７】
【図１】本考案に係る缶飲料の飲み口補助具の鳥瞰図である。
【図２】缶飲料の飲み口補助具の断面図である。
【図３】缶飲料の飲み口補助具の円筒壁部に切れ目を入れた応用１型の平面図である。
【図４】缶飲料の飲み口補助具の円筒側壁部の厚みを軸方向に沿って変化させた応用２型の断面図である。
【図５】缶飲料の飲み口補助具の円筒側壁部の高さを周方向に傾斜させた応用３型の側面図である。
【図６】缶飲料の飲み口補助具の円筒側壁部の上及び下側内面に嵌合用の段差を設けた応用４型の断面図である。
【図７】缶飲料の飲み口補助具の円筒上部円周上の一部に突出部を設けた応用５型の上面図、平面図、断念図と応用５´型の平面図である。
【図８】缶飲料の飲み口補助具の側壁内側面の下方に溝を設けている応用６型の断面図である。
【図９】缶飲料の飲み口補助具に絵や文字などで装飾した側面図である。
【考案を実施するための形態】
【００１８】
円筒状で高さ１０ｍｍ〜５０ｍｍくらい、厚さ０．１ｍｍ〜５ｍｍくらいで、缶の飲み口蓋側端に嵌合して固定するための溝あるいは段差を有する構造で、弾力性のある素材で材質は金属、樹脂または紙などで作られた、着脱のできる缶飲料の飲み口補助具である。
【００１９】
本考案品はさらに、次のような付加的な形状、加工として、例えば両端に異なる径の嵌合形状を設ける、円筒壁の一部にスリットを入れて異なる径に対応させる形状や、また側壁の厚みにテーパーをつける形状、先端を丸くしたり、さらに側面の高さに勾配をつけて斜め形状にしたり、或いは側面に飾り、文字、色付けなどで装飾するか、またそのようなラベルを円筒外側面に貼るなどもあり、加えて円筒の先端に缶蓋飲み口の取っ手を引っ掛けて起こすための形状を設けたり、また抗菌、防カビ処理加工などを施すことで衛生面の維持が確保できるようにするなどを付け加えてもよい。
【００２０】
以上の実施形態の詳細を実施例により説明する。                                  
【実施例】
【００２１】
図１は円筒状飲み口補助具である本考案品缶飲料の補助具の外観を示す。
【００２２】
図２において１´は円筒状の缶飲料の飲み口補助具、２は缶蓋、３はその巻き締め部を示し、円筒部の高さを１０ｍｍないし５０ｍｍ、厚さを０．１ｍｍないし３ｍｍ（範囲内を一例とする）、内径を３０ｍｍないし６０ｍｍ（範囲内を一例とする）にした。    
【００２３】
缶飲料の飲み口補助具１の側壁内側面の下部に、図２の拡大図のように缶巻き締め部３に密着するような幅２ｍｍ深さ０．５ｍｍの段差４を設け、円筒体内径は缶蓋の外径５３ｍｍに成型し、缶蓋２に嵌合するような寸法にした。
【００２４】
図２の缶飲料の飲み口補助具１´を市販されているアルミ飲料缶の缶蓋２に装着して試飲した結果、嵌合部から飲料が漏れることはなく、丸みを持たせた円筒先端部は口当たりが良かった。
【００２５】
図３は缶飲料の飲み口補助具１´の応用１型で円筒壁に切れ目５を入れた平面を示す。
【００２６】
嵌合部の内径を５３ｍｍに成形して、縦方向に幅１ｍｍの切れ目を入れた缶飲料の飲み口補助具を缶巻き締め部３外径５６ｍｍのビール缶、また外径５７ｍｍのビール缶の缶蓋２に装着して試飲した結果、いずれでも嵌合部から液体が漏れることはなく、口当たりよく飲むことが出来た。
【００２７】
図４は缶飲料の飲み口補助具の応用２型で円筒側壁部の２ｍｍの厚みの円筒側壁内側の段差６の内側から軸方向に沿って円筒側壁先端部７が０．５ｍｍないし１ｍｍの厚さになるよう変化させた断面を示す。
【００２８】
図４に示す缶飲料の飲み口補助具を缶蓋に装着して試飲した結果、飲物の流れがなめらかで口当たりが優しく、コップやグラスで飲む感覚が得られた。
【００２９】
図５は缶飲料の飲み口補助具の応用３型で円筒側壁部片側の高さを２５ｍｍ、対面側壁部の高さを１５ｍｍにした側面を示す。
【００３０】
図５に示す缶飲料の飲み口補助具を缶蓋２に装着して試飲した結果、円筒高さが傾斜しているために、缶を傾けても顔に当たることがなく、飲みやすかった。
【００３１】
図６は缶飲料の飲み口補助具の応用４型で円筒側壁部の上および下側内面に、内径の異なる嵌合用段差部８は１ｍｍ、９は１．２ｍｍを設けた補助具の断面を示す。
【００３２】
図６の缶飲料の飲み口補助具を外径の異なる缶蓋に装着した結果、それぞれの缶蓋にしっかりと密着状態で嵌合でき、接合部がはずれたり、飲料の漏れることがなかった。
【００３３】
図７は缶飲料の飲み口補助具の応用５型で缶蓋飲み口の取っ手を引っ掛けて起こす機能を持たせるために、円筒上部の外周上の一部１０に幅８ｍｍないし１０ｍｍ、突出部１１の高さ５ｍｍないし１５ｍｍを設け、突出部の先端には円周方向に丸味を持たせ、円筒側壁内側頂点１２は厚さ０．５ｍｍないし１ｍｍ、先端頂点から突出下部に向う外辺１３は長さ３ｍｍないし５ｍｍ、突出脹らみ部最下端に０．５ｍｍないし３ｍｍの段差１４を設けた補助具の正面、平面、側面、拡大図を示し、応用５´型はこの突起部を円筒壁外側に平行に設けた平面、側面図を示す。
【００３４】
図７で示す缶飲料の飲み口補助具で缶蓋飲み口の取っ手を引っ掛けて起こし、引き上げることで、缶蓋を開ける時に要する力の軽減が出来、指への負担も抑えられた。
【００３５】
図８は缶飲料の飲み口補助具の応用６型で円筒側壁内側の下部に幅１ｍｍないし５ｍｍ、深さ０．５ｍｍないし２ｍｍの溝状１５を設けた補助具の断面を示す。
【００３６】
溝状を設けた缶飲料の飲み口補助具を缶蓋２に装着して試飲した結果、缶蓋２との密着度がさらに増し、缶飲料容器を傾けた時も缶蓋２との接合部が固定でき、缶容器との一体感が得られ、容器の中の飲料を最後まで安定よく飲めた。    
【００３７】
図９は缶飲料の飲み口補助具の応用７型で円筒側壁部外面に色付けや文字、絵などの装飾を施した缶飲料の飲み口補助具の外観を示す。
【００３８】
図９缶飲料の飲み口補助具を缶蓋２に装着した結果、個々の缶容器の識別が出来、また絵や文字などを描くことにより広告媒体として活用できることが予測出来た。            
【００３９】
本考案品に抗菌無機系金属イオンなどで抗菌、防カビ成形加工処理を施した結果、カビなどの発生を抑えることが出来た。
【符号の説明】
【００４０】
１    缶飲料の飲み口補助具
１´  缶飲料の飲み口補助具
２    缶蓋
３    缶巻き締め部
４    段差
５    切れ目
６    円筒側壁内側の段差
７    円筒側壁先端部
８    下部の段差
９    上部の段差
１０  突出部の幅
１１  突出部の高さ
１２  突出部の頂点部
１３  突出部の外辺
１４  段差
１５  溝
【図１】
0003193673.tif 000003
【図２】
0003193673.tif 000004
【図３】
0003193673.tif 000005
【図４】
0003193673.tif 000006
【図５】
0003193673.tif 000007
【図６】
0003193673.tif 000008
【図７】
0003193673.tif 000009
【図８】
0003193673.tif 000010
【図９】
0003193673.tif 000011